(57)【要約】      （修正有）【課題】綿帽子を無理なく花嫁にかぶせることができて結婚式の参列者を長時間待たせることのない綿帽子用補整器具を提供する。【解決手段】花嫁の後頭部の頭髪に差し込む複数の挿入片を備えた中央フレーム１１と、該中央フレーム１１の適所に取り付けられた連結アームにそれぞれ首振り可能に取り付けられた前部フレーム２１および後部フレーム３１とを備え、中央フレーム１１は、アーチ状支持部１１ａから下方に突き出すように保持された複数の挿入片とで構成されており、前部フレーム２１は、綿帽子の前部を支える前部アーチ状支持部２２と、該前部アーチ状支持部２２から後方に突き出すように取り付けられた前部連結片とで構成されており、後部フレーム３１は、綿帽子の後部を支える後部アーチ状支持部３２と、該後部アーチ状支持部３２から前方に突き出すように取り付けられた後部連結片とで構成されている。【選択図】図７
0003210008.tif 000002
【実用新案登録請求の範囲】
【請求項１】
花嫁の後頭部の頭髪に差し込む複数の挿入片を備えた中央フレームと、該中央フレームの適所に取り付けられた連結アームにそれぞれ首振り可能に取り付けられた前部フレームおよび後部フレームとを備え、
前記中央フレームは、綿帽子のほぼ中央部分を支える上部アーチ状支持部と、該アーチ状支持部から下方に突き出すように保持された前記複数の挿入片とで構成されており、
前記前部フレームは、綿帽子の前部を支える前部アーチ状支持部と、該前部アーチ状支持部から後方に突き出すように取り付けられ、前記中央フレームの連結アームに連結される前部連結片とで構成されており、
前記後部フレームは、綿帽子の後部を支える後部アーチ状支持部と、該後部アーチ状支持部から前方に突き出すように取り付けられ、前記中央フレームの連結アームに連結される後部連結片とで構成されており、
前記中央フレーム、前部フレームおよび後部フレームを連結した上、花嫁の後頭部の頭髪に上部から中央フレームの前記複数の挿入片を差し込み、前記各アーチ状支持部にまたがって綿帽子をかぶせて使用するようにしたことを特徴とする綿帽子用補整器具。
【請求項２】
前記中央フレーム、前部フレームおよび後部フレームは、アルミニウムをはじめとする金属あるいはその合金、合成樹脂からなる軽量の帯状部材で形成されていることを特徴とする請求項１に記載の綿帽子用補整器具。
【請求項３】
前記中央フレーム、前部フレームおよび後部フレームを構成する各アーチ状支持部は、各フレームと同一の素材からなる補強材の一端を適宜間隔で各アーチ状支持部に固定し、かつ補強材の他端を連結して各アーチ状支持部を補強したことを特徴とする請求項１または２に記載の綿帽子用補整器具。
【請求項４】
前記中央フレーム、前部フレームおよび後部フレームを構成する各アーチ状支持部は、前記各アーチ状支持部の中央部に一端を固定した一対の補強材の端部を連結してコ字状に形成し、その端部の外側にそれぞれ連結アームおよび各連結片を取り付けたことを特徴とする請求項３に記載の綿帽子用補整器具。
【請求項５】
前記中央フレームの複数の挿入片は、帯状部材にひねりを加えて強度を向上させてなることを特徴とする請求項１ないし４のいずれかに記載の綿帽子用補整器具。
【考案の詳細な説明】
【技術分野】
【０００１】
この考案は、神前結婚式の際に花嫁が綿帽子を被るのに適した綿帽子用補整器具に関する。
【背景技術】
【０００２】
古来から、神前結婚式においては花嫁が新郎以外の男性に顔を見せないという習慣により、神前で花嫁が白い綿帽子を被ることが行われる。
この綿帽子を被着する際には、高島田等の日本髪かつらを着用して、その上から綿帽子を被せるのが通例である。
そのため、地毛の頭髪でかつらを着用するための下地を作った後、各自の頭部のサイズにあった日本髪かつらを着用し、髪形を整える調整を行わなければならなかった。
【０００３】
そのため、予め花嫁の頭部に合ったサイズの日本髪かつらを準備していた場合でも、実際にそのかつらを着用させて綿帽子を被せるのに少なくとも１０分は要しており、熟練を要するために美容師の負担が非常に大きかった。さらに、日本髪かつらは重いため、花嫁の負担が大きいという問題もあった。
そこで、このような問題を解決するために特開２０１５−１４３４０２号公報（特許文献１参照）のように、使用者の前頭部に被着可能な可撓性を有する基材に、日本髪かつらの前髪に相当する前髪部と、左右の鬢の少なくとも前側部分に相当する一対の鬢部とを取り付け、前記基材の前記前髪部を装着した中央部から後方に延びる帯状支持片と、該帯状支持片から上方に延びるステイによって支持され、前記帯状支持片と直交する左右方向に延びて上方に凸に湾曲した綿帽子頂部支持部材と、前記帯状支持片の後端部に取り付けられた綿帽子後部支持部材とを設けた綿防止用簡易日本髪かつらが提案されている。
【先行技術文献】
【特許文献】
【０００４】
【特許文献１】特開２０１５−１４３４０２号公報
【考案の概要】
【考案が解決しようとする課題】
【０００５】
しかしながら、前記特許文献１の綿防止用簡易日本髪かつらにおいては、簡易ではあっても日本髪かつらを着用させて綿帽子を被せる手間は軽減されないために美容師の負担の軽減にはつながらず、また洋髪にお色直しする場合の作業時間の短縮という面ではあまり改善にはならないために、結婚式の参列者を長時間待たせてしまうという問題はほとんど解消できなかった。
この考案の綿帽子用補整器具は従来例の上記課題を解消しようとするものであり、綿帽子を無理なく花嫁にかぶせることができて美容師の負担を大幅に軽減することができ、また洋髪にお色直しする場合には簡易かつ迅速に綿帽子を花嫁から取り除くことができて結婚式の参列者を長時間待たせることのない綿帽子用補整器具を提供することを目的とするものである。
【課題を解決するための手段】
【０００６】
すなわちこの考案の綿帽子用補整器具は、花嫁の後頭部の頭髪に差し込む複数の挿入片を備えた中央フレームと、該中央フレームの適所に取り付けられた連結アームにそれぞれ首振り可能に取り付けられた前部フレームおよび後部フレームとを備え、
前記中央フレームは、綿帽子のほぼ中央部分を支える上部アーチ状支持部と、該アーチ状支持部から下方に突き出すように保持された前記複数の挿入片とで構成されており、
前記前部フレームは、綿帽子の前部を支える前部アーチ状支持部と、該前部アーチ状支持部から後方に突き出すように取り付けられ、前記中央フレームの連結アームに連結される前部連結片とで構成されており、
前記後部フレームは、綿帽子の後部を支える後部アーチ状支持部と、該後部アーチ状支持部から前方に突き出すように取り付けられ、前記中央フレームの連結アームに連結される後部連結片とで構成されており、
前記中央フレーム、前部フレームおよび後部フレームを連結した上、花嫁の後頭部の頭髪に上部から中央フレームの前記複数の挿入片を差し込み、前記各アーチ状支持部にまたがって綿帽子をかぶせて使用するようにしたことを特徴とするものである。
【０００７】
この考案の綿帽子用補整器具において、前記中央フレーム、前部フレームおよび後部フレームは、アルミニウムをはじめとする金属あるいはその合金、合成樹脂からなる軽量素材で形成されていることをも特徴とするものである。
【０００８】
この考案の綿帽子用補整器具において、前記中央フレーム、前部フレームおよび後部フレームを構成する各アーチ状支持部は、各フレームと同一の素材からなる補強材の一端を適宜間隔で各アーチ状支持部に固定し、かつ補強材の他端を連結して各アーチ状支持部を補強したことをも特徴とするものである。
【０００９】
この考案の綿帽子用補整器具において、前記中央フレーム、前部フレームおよび後部フレームを構成する各アーチ状支持部は、前記各アーチ状支持部の中央部に一端を固定した一対の補強材の端部を連結してコ字状に形成し、その端部の外側にそれぞれ連結アームおよび各連結片を取り付けたことをも特徴とするものである。
【００１０】
この考案の綿帽子用補整器具において、前記中央フレームの複数の挿入片は、帯状部材にひねりを加えて強度を向上させてなることをも特徴とするものである。
【考案の効果】
【００１１】
この考案による綿帽子用補整器具を使用すれば、花嫁が洋髪のまま複数の挿入片を後頭部の頭髪に差し込むだけでよく、きわめて短時間で誰でも簡単に装着することができる。そして、その上から綿帽子を被れば、前記中央フレーム、前部フレームおよび後部フレームにおける各アーチ状支持部にそれぞれ支持されて形が整えられるので、高島田のかつらを着用して綿帽子を被った場合と同様な外観になる。
したがってこれを使用すれば、綿帽子の着脱時間が数十秒程度で済み、お色直しの際にも簡易かつ迅速な取り外しおよび取り付けが可能になり、取り外した後の地毛の髪型にほとんど影響がないため、花嫁の負担も少なくて済む。
【００１２】
また、各部材を構成する素材が帯状でかつ軽量であるため、美容師が取り扱う際の負担が少なく、もちろん花嫁の負担の軽減にもつながり、非常に有意義な綿帽子用補整器具を提供することが可能となる。
さらに、前記挿入片は帯状部材にひねりが加えてあるため、強度の向上のみならず挿入片が頭髪に差し込みやすくかつしっかりと固定することができるという効果がある。
【図面の簡単な説明】
【００１３】
【図１】この考案の綿帽子用補整器具を構成する中央フレームの１例を示す正面図である。
【図２】その斜視図である。
【図３】この考案による綿帽子用補整器具を構成する前部フレームおよび後部フレームの１例を示す平面図である。
【図４】その斜視図である。
【図５】中央フレーム、前部フレームおよび後部フレームの組み付け方を説明するための分解斜視図である。
【図６】中央フレーム、前部フレームおよび後部フレームを組み付けた状態を説明するための斜視図である。
【図７】前記各フレームを取り付けた上に綿帽子をかぶせた状態を示す斜視図である。
【図８】この考案における綿帽子用補整器具の前部フレームおよび後部フレームの挙動を示す概略側面図である。
【図９】綿帽子用補整器具を花嫁の頭部に装着しようとする段階の概略側面図である。
【図１０】綿帽子用補整器具を花嫁の頭髪内に装着した段階の概略側面図である。
【図１１】さらに綿帽子を被せた状態の概略側面図である。
【考案を実施するための形態】
【００１４】
以下、この考案の綿帽子用補整器具を実施するための形態を図面に基いて詳細に説明する。
図１はこの考案による綿帽子用補整器具を構成する中央フレームの１例を示す正面図であり、図２はその斜視図である。
また図３はこの考案による綿帽子用補整器具を構成する前部フレームおよび後部フレームの１例を示す平面図であり、図４はその斜視図である。
この考案の綿帽子用補整器具は、図１ないし図４に示す、花嫁の後頭部の頭髪に差し込む複数の挿入片１２を備えた中央フレーム１１と、該中央フレーム１１の適所に取り付けられた連結アーム１３にそれぞれ首振り可能に取り付けられた前部フレーム２１および後部フレーム３１（図３および図４参照）とを備えている。
【００１５】
図１および図２に示すように、前記中央フレーム１１は、綿帽子のほぼ中央部分を支える上部アーチ状支持部１１ａと、該アーチ状支持部１１ａから下方に突き出すように保持された前記複数の挿入片１２とで構成されている。
前記中央フレーム１１は、アルミニウムをはじめとする金属やその合金、合成樹脂からなる軽量素材で形成されているため非常に軽量であり、作業が行いやすいばかりか、花嫁への負担も大幅に軽減することができる。
【００１６】
また、前記中央フレーム１１を構成する上部アーチ状支持部１１ａは、中央フレーム１１と同一の素材からなる補強材１４の一端を適宜間隔で上部アーチ状支持部１１ａに溶接やねじ止め等の手段で固定し、かつ補強材１４の他端を連結して上部アーチ状支持部１１ａを補強している。
すなわち、上部アーチ状支持部１１ａの中間位置に所定間隔で一対の平行な第１補強材１４ａの一端を固定し、その両側から第１補強材１４ａの先端に繋げるように第２補強材１４ｂを斜めに取り付けている。１４ｃは一対の第２補強材１４ｂの端部を連結するように取り付けたＶ字状の第３補強材である。なお、１４ｄは、上部アーチ状支持部１１ａの両端を折り曲げて第２補強材１４ｂの中間位置に固定した第４補強材である。
【００１７】
前記中央フレーム１１の上部アーチ状支持部１１ａに所定間隔で固定した一対の第１補強材１４ａは、その他端を連結用補強材１４ｅで連結してコ字状に形成してある。
このコ字状の連結用補強材１４ｅは、その下面中央に連結アーム１３が垂設されており、該連結アーム１３は下部の両側にそれぞれ二又の連結ガイド１３ａ，１３ｂが形成されている。
【００１８】
そして、前記中央フレーム１１の複数の挿入片１２は、前記一対の第１補強材１４ａからそれぞれ延長して垂設した第１挿入片１２ａと、その間のＶ字状の第３補強材１４ｃの適宜位置から垂設した第２挿入片１２ｂとで構成されている。しかも複数の挿入片１２は、素材の帯状部材にひねりｔを加えて強度を向上させてある。
以上のように前記挿入片１２を４本とすることにより、後頭部の毛髪に差し込む際に後頭部に触れる面積が拡がり、綿帽子用補整器具全体の安定を向上させる働きがある。
しかも、綿帽子用補整器具と頭部との密着度を高め、安定性の精度を上げることにより綿帽子を花嫁に被せて着用した時の長時間の歩行を可能とし、かつ綿帽子が前後左右に揺れたとしてもずれることがなく、綿帽子用補整器具をアルミニウム合金等の軽量素材で形成したことと相まって花嫁の首への負担も大幅に軽減することができる。
前記複数の挿入片１２は、素材の帯状部材にひねりｔを加えて強度を向上させてあり、花嫁のヘアメイクされた髪を崩すことなくスムーズに抜き差しでき、多少の負荷がかかっても折れることはない。
【００１９】
次に、図３および図４に示すように、前記前部フレーム２１は、綿帽子の前部を支える前部アーチ状支持部２２と、該アーチ状支持部２２から水平に突き出すように形成された連結片２３で構成されている。
前記前部フレーム２１も、アルミニウムをはじめとする金属やその合金、合成樹脂からなる軽量素材で形成されているため非常に軽量であり、作業が行いやすいばかりか、花嫁への負担も大幅に軽減することができる。
【００２０】
また、前記前部フレーム２１を構成する前部アーチ状支持部２２は、前部フレーム２１と同一の素材からなる補強材２４の一端を適宜間隔で前部アーチ状支持部２２に溶接やねじ止め等の手段で固定し、かつ補強材２４の他端を連結して前部アーチ状支持部２２を補強している。
すなわち、前部アーチ状支持部２２の中間位置に所定間隔で一対の平行な第１補強材２４ａの一端を固定し、その両側から第１補強材２４ａの先端に繋げるように第２補強材２４ｂを斜めに取り付けている。２４ｃは前部アーチ状支持部２２の両端を折り曲げて第２補強材２４ｂの中間位置に固定した第３補強材である。
【００２１】
前記前部フレーム２１の前部アーチ状支持部２２に所定間隔で固定した一対の第１補強材２４ａは、その他端を連結用補強材２４ｄで連結してコ字状に形成してある。
このコ字状の連結用補強材２４ｄは、その外面の中央に連結片２３が配設されている。
【００２２】
また、前記後部フレーム３１は、綿帽子の後部を支える後部アーチ状支持部３２と、該アーチ状支持部３２から水平に突き出すように形成された連結片３３で構成されている。
前記後部フレーム３１も、アルミニウムをはじめとする金属やその合金、合成樹脂からなる軽量素材で形成されているため非常に軽量であり、作業が行いやすいばかりか、花嫁への負担も大幅に軽減することができる。
【００２３】
また、前記後部フレーム３１を構成する後部アーチ状支持部３２は、後部フレーム３１と同一の素材からなる補強材３４の一端を適宜間隔で後部アーチ状支持部３２に溶接やねじ止め等の手段で固定し、かつ補強材３４の他端を連結して前部アーチ状支持部３２を補強している。
すなわち、後部アーチ状支持部３２の中間位置に所定間隔で一対の平行な第１補強材３４ａの一端を固定し、また前記後部アーチ状支持部３２の両端を折り曲げて第１補強材３４ａの適宜位置に固定した第２補強材３４ｂとしてある。
【００２４】
前記後部フレーム３１の後部アーチ状支持部３２に所定間隔で固定した一対の第１補強材３４ａは、その他端を連結用補強材３４ｃで連結してコ字状に形成してある。
このコ字状の連結用補強材３４ｃは、その外面の中央に連結片３３が配設されている。
【００２５】
図５（組み付け前）および図６（組み付け後）に示すように、前記中央フレーム１１と前部フレーム２１および後部フレーム３１とは、該中央フレーム１１の適所に取り付けられた連結アーム１３に、前部フレーム２１および後部フレーム３１の各連結片２３，３３を差し込み、それぞれカシメ等の手段で首振り可能に取り付けられている。
次いで、花嫁の後頭部の頭髪に上部から複数の挿入片１２を所定の角度で差し込んで固定する。その際、前記複数の挿入片１２は素材の帯状部材にひねりｔを加えて強度を向上させてあり、スムーズに挿入されるとともに多少の負荷がかかっても折れたり曲がったりすることはない。
図７は、花嫁の後頭部に前記各フレーム１１，２１，３１を取り付けた上、各アーチ状支持部１１ａ、２２，３２にまたがって綿帽子４１をかぶせて使用可能とした状態を示すものである。
【００２６】
この実施例における綿帽子用補整器具は図８ないし図１１のように使用される。すなわち、図８に示すように綿帽子用補整器具は前記中央フレーム１１に対して前部フレーム２１および後部フレーム３１は上下に首振り可能に取り付けられている。
この綿帽子用補整器具を図９および図１０のように、前記中央フレーム１１の挿入片１２の先端から花嫁の後頭部の頭髪に、頭頂部を基準（ゴールデンポイント）としてやや前向きになるよう差し込む。その際には前記中央フレーム１１がぐらつかないように４本の挿入片１２で頭髪内にしっかり装着される。
その上で、図１１のように各フレーム１１，２１，３１上から綿帽子４１を被せるのである。もちろん、前記中央フレーム１１を頭髪に差し込む角度や差し込む深さ等によって全体の高さを決め、前部フレーム２１および後部フレーム３１を首振りさせてその角度を決めればよい。
なお、後部フレーム３１を首振りさせて角度を変えることによって顔回りの綿帽子４１が開閉する。
【００２７】
本考案の綿帽子用補整器具によれば、前記中央フレーム１１の複数の挿入片１２を花嫁の後頭部の頭髪に差し込むだけで、きわめて短時間で誰でも簡単に装着することができる。そして、その上から綿帽子４１を被せれば、綿帽子４１は前記中央フレーム１１、前部フレーム２１および後部フレーム３１における各アーチ状支持部１１ａ、２２，３２にそれぞれ支持されて形が整えられるので、高島田のかつらを着用して綿帽子４１を被った場合と同様な外観になる。
したがってこれを使用すれば、綿帽子４１の着脱時間が数十秒程度で済み、お色直しの際にも簡易かつ迅速な取り外しおよび取り付けが可能になり、取り外した後の地毛の髪型にほとんど影響がないため、花嫁の負担も少なくて済む。
【００２８】
また、各部材を構成する素材が帯状でかつ軽量であるため、美容師が取り扱う際の負担が少なく、もちろん花嫁の負担の軽減にもつながり、非常に有意義な綿帽子用補整器具を提供することが可能となる。
【産業上の利用可能性】
【００２９】
以上、この考案の綿帽子用補整器具の実施例について説明してきたが、その実施例における各部材の具体的な構成や形状及び材料等は、実施例に記載したものに限るものではない。
また、この考案の綿帽子用補整器具は前記実施例に限定されるものではなく、実用新案登録請求の範囲の各請求項に記載された技術的特徴を備えている限り、何ら限定されるものではない。
【符号の説明】
【００３０】
１１  中央フレーム
１１ａ  上部アーチ状支持部
１２  挿入片
１２ａ  第１挿入片
１２ｂ  第２挿入片
１３  連結アーム
１３ａ，１３ｂ  連結ガイド
１４  補強材
１４ａ  第１補強材
１４ｂ  第２補強材
１４ｃ  第３補強材
１４ｄ  第４補強材
１４ｅ  連結用補強材
２１  前部フレーム
２２  前部アーチ状支持部
２３  連結片
２４  補強材
２４ａ  第１補強材
２４ｂ  第２補強材
２４ｃ  第３補強材
２４ｄ  連結用補強材
３１  後部フレーム
３２  後部アーチ状支持部
３３  連結片
３４  補強材
３４ａ  第１補強材
３４ｂ  第２補強材
３４ｃ  連結用補強材
４１  綿帽子
ｔ  ひねり
【図１】
0003210008.tif 000003
【図２】
0003210008.tif 000004
【図３】
0003210008.tif 000005
【図４】
0003210008.tif 000006
【図５】
0003210008.tif 000007
【図６】
0003210008.tif 000008
【図７】
0003210008.tif 000009
【図８】
0003210008.tif 000010
【図９】
0003210008.tif 000011
【図１０】
0003210008.tif 000012
【図１１】
0003210008.tif 000013